(57)【要約】【課題】  遊技盤と遊技機枠とを古い機種から新しい機種に交換する場合に経済的な有利性を図る。【解決手段】  遊技盤１が前面から取り込んだ球を裏面に排出するための部品逃孔５；６；７；８；９を備えるとともに裏面に集合樋８７を備えておらず、遊技機枠３６が前枠３７と中枠３８と後枠３９からなる前後三体に分割され、中枠３８が後枠３９にヒンジで開閉可能かつ着脱自在に取り付けられ、前枠３７が中枠３８にヒンジで開閉可能かつ着脱自在に取り付けられ、中枠３８が遊技盤１を格納する収納室Ａを備え、中枠３８に前方開放状の集合樋８７を備え、収納室Ａに格納された遊技盤１が中枠３８に取り付けられることによって、遊技盤１の裏面と集合樋８７とが遊技盤１の部品逃孔５−９を経由して前面から裏面に排出された球を下方に誘導する空間Ｃを形成している。【選択図】        図１
2005110971.tif 000002
【特許請求の範囲】
【請求項１】
遊技盤が前面から取り込んだ球を裏面に排出するための部品逃孔を備えるとともに裏面に集合樋を備えておらず、遊技機枠が前枠と中枠と後枠からなる前後三体に分割され、中枠が後枠にヒンジで開閉可能かつ着脱自在に取り付けられ、前枠が中枠にヒンジで開閉可能かつ着脱自在に取り付けられ、中枠が遊技盤を格納する収納室を備え、中枠に前方開放状の集合樋を備え、当該収納室に格納された遊技盤が中枠に取り付けられるとともに前枠が閉じられることを特徴とするパチンコ機。
【請求項２】
集合樋の裏面に制御装置が取り付けられたことを特徴とする請求項１記載のパチンコ機。
【請求項３】
遊技盤および集合樋が図柄視認用の開口部を備え、集合樋の図柄視認用の開口部周りの裏面には画像表示器が取り付けられたことを特徴とする請求項１記載のパチンコ機。
【発明の詳細な説明】
【技術分野】
【０００１】
本発明は、遊技盤と遊技機枠とを古い機種から新しい機種に交換する場合に経済的に有利なパチンコ機に関する。
【背景技術】
【０００２】
パチンコ機は、遊技機枠が前枠と外枠からなる前後二体に分割され、前枠が外枠に開閉可能に取り付けられ、前枠の前部にはガラス扉と前面板とが開閉可能に取り付けられ、前枠の裏部には機構板が開閉自在に取り付けられ、前枠を開くとともに機構板を開いて、入賞部品やガイドレールなどの前側部品の組み付けられた遊技盤が前枠の裏部に取り付けられた後、機構板を閉じ、前枠を閉じることによって、遊技盤が遊技機枠の内部に収納されている。パチンコ機に用いられる遊技盤は裏面にセット板と呼ばれる前方開放状の集合樋を備え、遊技盤の裏面と集合樋とが遊技盤の前面に設けられた入賞部品に取り込まれて遊技盤の裏面に排出された入賞球を下方に誘導する球通路を形成している。このため、遊技機枠のガラス扉と前面板と機構板とを有する前枠が外枠に開閉可能に取り付けられ、集合樋を有する遊技盤が遊技機枠の内部に収納された構造であるので、遊技機枠の前面意匠を遊技盤の機種変更に合わせて交換する場合、ガラス扉と前面板と機構板との組み付けられた前枠を全体的に交換しなければならないという問題点があった。また、遊技盤が集合樋を有することから、遊技盤のコストダウンを図るにも限度があった。
【特許文献１】特許第３３１５４４６号公報（第４頁、段落番号００１７−００２０、図３）
【特許文献２】特開平９−９４３２２号公報（第３頁、段落番号００１１、図３）
【発明の開示】
【発明が解決しようとする課題】
【０００３】
解決しようとする問題点は、遊技盤または遊技機枠の前側意匠を古いものから新しいものに機種替えする場合、遊技盤または遊技機枠を全体的に交換しなければならず、経済的に不利であるという点である。
【課題を解決するための手段】
【０００４】
本発明は、遊技盤が前面から取り込んだ球を裏面に排出するための部品逃孔を備えるとともに裏面に集合樋を備えておらず、遊技機枠が前枠と中枠と後枠からなる前後三体に分割され、中枠が後枠にヒンジで開閉可能かつ着脱自在に取り付けられ、前枠が中枠にヒンジで開閉可能かつ着脱自在に取り付けられ、中枠が遊技盤を格納する収納室を備え、中枠に前方開放状の集合樋を備え、当該収納室に格納された遊技盤が中枠に取り付けられるとともに前枠が閉じられることによって、遊技盤の裏面と集合樋とが遊技盤の部品逃孔を経由して前面から裏面に排出された球を下方に誘導する空間を形成することを主要な特徴とする。本発明にあっては、集合樋の裏面に制御装置が取り付けられたり、遊技盤および集合樋が図柄視認用の開口部を備え、集合樋の図柄視認用の開口部周りの裏面には画像表示器が取り付けられたりする形態であってもよい。
【発明の効果】
【０００５】
本発明のパチンコ機は、遊技盤から集合樋を除去して遊技盤のコストダウンを図ることができる一方、遊技機枠を前枠と中枠と後枠からなる前後三体に分割したことによって、遊技機枠の前面意匠を遊技盤の機種変更に合わせて交換する場合、前枠だけを交換し、中枠および後枠を共通に使用することができ、古いものから新しいものに交換したパチンコ機を安価に提供することができるという利点がある。本発明にあっては、集合樋の裏面に制御装置が取り付けられれば、遊技盤に制御装置を設ける必要がなく、遊技盤の構造が簡単となる。本発明にあっては、遊技盤および集合樋が図柄視認用の開口部を備え、集合樋の図柄視認用の開口部周りの裏面には画像表示器が取り付けられれば、遊技盤に画像表示器を設ける必要がなく、遊技盤の構造が簡単となる。
【発明を実施するための最良の形態】
【０００６】
図１−図４は一実施形態である。図１は遊技盤１を遊技機枠３６の内部に組み付けたパチンコ機を縦方向に切断して示す。図２のａ図は遊技盤１の前側を示す。図２のｂ図は遊技盤１の裏側を示す。図３は遊技機枠３６を分解して示す。図４は遊技盤１を遊技機枠３６に取り付ける形態を示す。
【０００７】
図２を参照し、パチンコ機の遊技盤１について説明する。遊技盤１は、遊技基板２と前側部品３とを備える。遊技基板２の方形な前面は、図柄や機種名などの表示された意匠盤面を形成する。遊技基板２には、アウト口４と多数の部品逃孔５；６；７；８；９とが、前後方向に貫通した形状に形成される。遊技基板２の裏面は、何の部品も取り付けられておらず、部品逃孔５−９が形成されたままの形態である。前側部品３は、盤面飾り１０、センター飾り１１、風車１２、サイドランプ１３、一般入賞部品１４、始動入賞部品１５、可変入賞部品１６、多数の遊技釘１７などである。盤面飾り１０は中央に丸形開口部１８を有する。
【０００８】
盤面飾り１０が遊技基板２の前面に取り付けられることによって、遊技基板２の意匠盤面には丸形開口部１８で囲まれた遊技領域１９が形成される。丸形開口部１８の周縁には、外ガイドレール２１と内ガイドレール２２とを備える。外ガイドレール２１と内ガイドレール２２との間の隙間が、発射通路２３を形成する。発射通路２３以外における外ガイドレール２１と内ガイドレール２２とで囲まれた内側が遊技領域１９である。外ガイドレール２１および内ガイドレール２２は、盤面飾り１０に組み付けられた形態であっても、盤面飾り１０に組み付けられることなく盤面飾り１０と別に単独で遊技基板２の意匠盤面に取り付けられる形態であってもよい。
【０００９】
センター飾り１１は、中央に前面視四角形な角形開口部２４を有する。センター飾り１１の角形開口部２４を囲むようにセンター飾り１１の裏面より裏側に突出した膨出部２５の裏面には、光透過性を有する無色な合成樹脂からなる板状の遮蔽体が、角形開口部２４を塞ぐように設けられる。よって、人がセンター飾り１１を前側から見た場合、人が遮蔽体を通して角形開口部２４の裏側を見ることができる。膨出部２５が遊技基板２の部品逃孔５に意匠盤面の側から挿入され、センター飾り１１の角形開口部２４を囲む前面部が部品逃孔５を塞ぐように、センター飾り１１が遊技基板２に取り付けられることによって、遊技領域１９の中央にはセンター飾り１１で囲まれた角形開口部２４が形成される。部品逃孔５に挿入された膨出部２５と部品逃孔５との間の隙間２６は、１個の球も入らないように、１個の球の直径よりも狭い。
【００１０】
風車１２は、釘のような取付具を兼ねる軸に回転可能に装着された形態である。風車１２の取付具が遊技基板２の意匠盤面から内部に打ち込まれることによって、風車１２が遊技領域１９に回転可能に取り付けられる。風車１２は、表示灯を内蔵したランプ風車であってもよい。
【００１１】
サイドランプ１３は、ランプ基板に実装された表示灯が光透過性の有る合成樹脂からなる収納容器２７に取り付けられ、収納容器２７の裏面がランプ基板で覆われた形態である。ランプ基板または収納容器２７が遊技基板２の部品逃孔６に意匠盤面の側から挿入されるかまたは部品逃孔６と対応する格好で、収納容器２７より外側に突出した前面部が部品逃孔６を塞ぐように、サイドランプ１３が遊技基板２の意匠盤面に取り付けられることによって、遊技領域１９の左右側部には表示灯の点灯・点滅・消灯で遊技演出を行うサイドランプ１３が設けられる。ランプ基板または収納容器２７が部品逃孔６に挿入された場合、部品逃孔６に挿入されたランプ基板または収納容器２７と部品逃孔６との間の隙間２８は、１個の球も入らないように、１個の球の直径よりも狭い。
【００１２】
一般入賞部品１４は、遊技領域１９から取り込んだ球を遊技基板２の裏側に排出する取込形である。一般入賞部品１４の前面部の裏面には、取り込んだ球を遊技基板２の裏側に排出するための排出樋部２９が設けられる。排出樋部２９が遊技基板２の部品逃孔７に意匠盤面の側から挿入され、一般入賞部品１４の前面部が部品逃孔７を塞ぐように、一般入賞部品１４が遊技基板２の意匠盤面に取り付けられることによって、遊技領域１９におけるセンター飾り１１の周囲には一般入賞部品１４が設けられる。部品逃孔７に挿入された排出樋部２９と部品逃孔７との間の隙間３０は、１個の球も入らないように、１個の球の直径よりも狭い。
【００１３】
始動入賞部品１５は、遊技領域１９から取り込んだ球を遊技基板２の裏側に排出する取込形である。始動入賞部品１５の前面部の裏面には、取り込んだ球を遊技基板２の裏側に排出するための排出樋部３１が設けられる。排出樋部３１が遊技基板２の部品逃孔８に意匠盤面の側から挿入され、始動入賞部品１５の前面部が部品逃孔８を塞ぐように、始動入賞部品１５が遊技基板２の意匠盤面に取り付けられることによって、遊技領域１９におけるセンター飾り１１の真下には始動入賞部品１５が設けられる。部品逃孔８に挿入された排出樋部３１と部品逃孔８との間の隙間３２は、１個の球も入らないように、１個の球の直径よりも狭い。一般入賞部品１４や始動入賞部品１５は、遊技領域１９から取り込んだ球を遊技基板２の裏側に排出することなく遊技領域１９に排出する通過形であってもよい。
【００１４】
可変入賞部品１６は、遊技領域１９から取り込んだ球を遊技基板２の裏側に排出する取込形である。可変入賞部品１６の前面部には、開閉体３３が設けられる。開閉体３３は、電磁ソレノイドのような開閉駆動源により、開閉体３３の下部を回転中心として前後方向に開閉する。可変入賞部品１６の前面部の裏面には、開閉体３３で開閉される球取入口を囲む収納部３４が設けられる。収納部３４の内部には、左右の普通入賞領域と中央の特定入賞領域とが横３列に区分された形態で設けられる。
【００１５】
収納部３４の裏面には開閉駆動源が取り付けられる。収納部３４には、普通入賞領域や特定入賞領域に取り込んだ球を個別に遊技基板２の裏側に排出するための球出口が設けられる。収納部３４や開閉駆動源が遊技基板２の部品逃孔９に意匠盤面の側から挿入され、可変入賞部品１６の前面部が部品逃孔９を塞ぐように、可変入賞部品１６が遊技基板２の意匠盤面に取り付けられることによって、遊技領域１９における始動入賞部品１５とアウト口４との間には可変入賞部品１６が設けられる。部品逃孔９に挿入された収納部３４と部品逃孔９との間の隙間３５は、１個の球も入らないように、１個の球の直径よりも狭い。
【００１６】
一般入賞部品１４や始動入賞部品１５が取込形である場合、アウト口４は、一般入賞部品１４または始動入賞部品１５あるいは可変入賞部品１６に入賞しないで遊技領域１９を流下した球を取り込んで遊技基板２の裏側に排出する。一般入賞部品１４または始動入賞部品１５が通過形である場合、アウト口４は、その通過形の一般入賞部品１４または始動入賞部品１５に入賞した後に取込形の始動入賞部品１５または取込形の一般入賞部品１４または可変入賞部品１６に入賞しないで遊技領域１９を流下した球を取り込んで遊技基板２の裏側に排出する。
【００１７】
図３を参照し、パチンコ機の遊技機枠３６について説明する。遊技機枠３６は、前枠３７と中枠３８と後枠３９からなる前後方向で三体に分割された形態である。前枠３７は前飾り部品４１と皿部品４２とから構成される。前飾り部品４１は、四角形な額縁状の金属製の骨格構成体４３と、骨格構成体４３に骨格構成体４３の前側を覆うように取り付けられた方形な合成樹脂製の前面意匠体４４とを備える。前面意匠体４４が、骨格構成体４３に取り付けられることによって、前枠３７の前面意匠を構成する。
【００１８】
前面意匠体４４は、中央に、遊技盤１の丸形開口部１８と略同じ大きさの丸窓４５を有する。丸窓４５は、骨格構成体４３に交換可能に設けられたガラスまたは合成樹脂からなる光透過性の有る無色のパネル４６で、前面意匠体４４の内側から塞がれる。丸窓４５を囲む前面意匠体４４の前面部には、放音孔部や表示灯部が設けられる。放音孔部の裏面には、スピーカが取り付けられる。表示灯部の裏側には、表示灯が取り付けられる。
【００１９】
骨格構成体４３の左上角部には前枠上ヒンジ４７が設けられる。前枠上ヒンジ４７は、ヒンジピン４８が骨格構成体４３に結合されたヒンジ躯体に上下移動可能に設けられ、ヒンジピン４８とヒンジ躯体とにわたって装着されたコイルスプリングのようなヒンジばねがヒンジピン４８を上方に付勢することによって、ヒンジピン４８の上部がヒンジ躯体より上方に突出した、構造になっている。骨格構成体４３の左下角部には前枠下ヒンジ４９が設けられる。前枠下ヒンジ４９は、上下方向に貫通するヒンジ孔５０が骨格構成体４３に結合されたヒンジ躯体に形成された、構造になっている。前面意匠体４４の右側部には、施錠装置逃部５１が右側面より丸窓４５の側に窪む形状に形成される。
【００２０】
皿部品４２は、横長な長方形を呈する平板状の皿本体５２の前面に球受部５３を備える。球受部５３は皿本体５２の前面より前方に突出するとともに上方に開放された下方に窪む凹部である。球受部５３の内部右側における皿本体５２の前面には、中枠３８から球受部５３に排出される賞球や貸球としての球を受け入れるための球入口５４が形成される。球受部５３の内部左側における底面には、球受部５３に受け止められた球を発射機構５５に排出する球供給路５６が形成される。
【００２１】
球供給路５６には、シャッターが設けられる。シャッターは、球供給路５６から発射機構５５の側に球を誘導する形態と、球供給路５６から球受部５３の球抜孔部５８の側に球を排出する形態とを作る。つまり、球受部５３の外側前面に設けられた球抜操作部５９が人で操作されていない場合、球抜操作部５９がシャッターを動かさず、シャッターにコイルスプリングのようなばねのばね力が作用し、シャッターが球供給路５６と球抜孔部５８とをつなぐ連絡口を塞ぐことによって、シャッターが球供給路５６から発射機構５５に球を誘導する。
【００２２】
球抜操作部５９が人で操作されている場合、球抜操作部５９が上記ばねのばね力に抗してシャッターを動かし、シャッターが球供給路５６と球抜孔部５８とをつなぐ連絡口を開放することによって、当該連絡口が球供給路５６から球受部５３の球抜孔部５８に球を排出する。この球抜孔部５８に排出された球は、球抜孔部５８から皿部品４２の下方外部に落下する。したがって、人が球抜操作部５９を操作する場合、人が球抜孔部５８の下方にドル箱と呼ばれるような球箱を置いておくことによって、球抜孔部５８から落下した球は球箱に溜まる。
【００２３】
球受部５３よりも右側の皿本体５２には、ハンドルグリップと呼ばれるような発射操作機構６１が皿本体５２より前方に突出する形態に設けられる。発射操作機構６１は、人の操作で矢印方向に回転し得る操作部６１ａを備える。発射操作機構６１の内部には、操作部６１ａの回転に伴い回転する抵抗器軸を有する可変抵抗器が組み込まれる。可変抵抗器の可変抵抗値を出力する端子は、発射払出制御装置の入力部に配線で接続される。球受部５３における球供給路５６の上流側の底面には、球排出口６２が形成される。球排出口６２には、蓋６３が設けられる。
【００２４】
蓋６３は、球受部５３から球供給路５６の側に球を誘導する形態と、球受部５３から球抜孔部５８の側に球を排出する形態とを作る。つまり、球受部５３の外側前面に設けられた球排出操作部６４が人で操作されていない場合、球排出操作部６４が蓋６３を動かさず、蓋６３にコイルスプリングのようなばねのばね力が作用し、蓋６３が球排出口６２を塞ぐことによって、蓋６３が球受部５３から球供給路５６に球を誘導する。球排出操作部６４が人で操作されている場合、球排出操作部６４が上記ばねのばね力に抗して蓋６３を動かし、蓋６３が球排出口６２を開放することによって、球排出口６２が球受部５３から球抜孔部５８に球を排出する。
【００２５】
皿本体５２の左上角部には、皿上ヒンジ６５が設けられる。皿上ヒンジ６５は上下方向に貫通するヒンジ孔６６を備える。皿本体５２の左下角部には、皿下ヒンジ６７が設けられる。皿下ヒンジ６７は、ヒンジピン６８が皿本体５２に結合されたヒンジ躯体に上下移動可能に設けられ、ヒンジピン６８とヒンジ躯体とにわたって装着されたコイルスプリングのようなヒンジばねがヒンジピン６８を下方に付勢することによって、ヒンジピン６８の下部がヒンジ躯体より下方に突出した、構造になっている。
【００２６】
中枠３８は四角形な開口部を囲む額縁状である。中枠３８の左上角部には中枠上ヒンジ６９が設けられる。中枠上ヒンジ６９の中枠３８よりも前側に突出した部分には、上方に突出するヒンジピン７０と上下方向に貫通するヒンジ孔７１とを備える。中枠３８の左中間部（左側の上下方向中間部）には、中枠中間ヒンジ７２が設けられる。中枠中間ヒンジ７２の中枠３８よりも前方に突出した部分には、上下方向に突出するヒンジピン７３と、上方に突出するストッパ７４とを備える。
【００２７】
中枠３８の左下角部には、中枠下ヒンジ７５が設けられる。中枠下ヒンジ７５は中枠３８の下横片の下面に設けられる。中枠下ヒンジ７５の中枠３８よりも前側に突出した部分には、上下方向に貫通するヒンジ孔７６を備える。中枠下ヒンジ７５よりも上方において、中枠３８の下横片より前側に突出した膨出部の上面には、皿下ヒンジ６７のヒンジピン６８を受け入れる上下方向に貫通したヒンジ孔７７を備える。中枠３８の右縦片の上下方向中間部には、施錠装置７８が設けられる。施錠装置７８は、施錠装置７８の前面に鍵穴７９を備える。
【００２８】
中枠３８は、中枠３８を構成する上・下横片および左・右縦片より四角形な開口部の内側に当該開口部の裏側を塞ぐ裏壁８１を備える。裏壁８１には、収納室Ａが中枠上ヒンジ６９と中枠中間ヒンジ７２との間に位置するように設けられる。収納室Ａは、遊技盤１の遊技基板２よりも大きな前方が開放した箱形である。収納室Ａの下面は、遊技盤１を載せる盤棚８２である。収納室Ａの上・左・右側面より収納室Ａの内側に突出する裏面は、遊技基板２の外周部の裏面を受け止める盤受部８３を構成する。
【００２９】
左の盤受部８３には、遊技盤１の左側部を嵌め込む嵌合部が設けられる。嵌合部の内側には、嵌め込まれた遊技盤１を前側に押す板ばねのようなばねが設けられる。右の盤受部８３には、人の操作で遊技盤１の右側部を固定する支持具が設けられる。盤受部８３で囲まれる内側には、樋開口８４が形成される。樋開口８４は、収納室Ａの盤棚８２や盤受部８３を構成する裏面から裏側に突出する樋周壁８５で囲まれる。樋周壁８５には、樋開口８４の裏側を塞ぐ樋後壁８６が設けられる。つまり、樋開口８４と樋周壁８５および樋後壁８６が、遊技盤１から裏側に排出された球を下方に誘導する集合樋８７を構成する。
【００３０】
樋周壁８５における盤棚８２とほぼ同じ高さに位置している下面には、集合樋８７で下方に案内された球を集合樋８７から外側に排出するための排出樋８８が連接される。樋後壁８６には、窓枠８９が前方に突出する格好で設けられる。窓枠８９は、遊技盤１のセンター飾り１１における角形開口部２４より大きな四角形な図柄視認用の開口部を囲む形態である。窓枠８９で囲まれた図柄視認用の開口部の裏側には、方形な画像表示器９１の表示画面が当該図柄視認用の開口部を塞ぐように配置される。画像表示器９１は、図柄視認用の開口部の周囲における樋後壁８６の裏面に取り付けられる。
【００３１】
集合樋８７の裏面には、制御装置９２および球払出機構９３が取り付けられる。制御装置９２は、主制御装置、図柄制御装置、表示灯制御装置、音制御装置、発射払出制御装置などに機能分割されて個別に構成されている。図柄制御装置は、集合樋８７の裏面に取り付けられることなく画像表示器９１に組み付けられることもある。中枠３８の盤棚８２よりも下部の前壁部には、発射機構５５、ファール球取入口９４、球出口９５が設けられる。前壁部の裏面には、球払出機構９３から払い出された球を球出口９５に誘導する誘導路が設けられる。この誘導路の容積を大きく形成すれば、皿部品４２の球受部５３に対し、誘導路が球を貯蔵し得る予備タンクとなる。
【００３２】
発射機構５５は、ステップモータのような発射駆動源でハンマーを駆動し、この駆動したハンマーが皿部品４２の球供給通路から供給された球を１個ずつ遊技盤１の発射通路２３に向けて発射する。発射機構５５から発射された球が遊技盤１の発射通路２３を経由して遊技領域１９に到達しないで発射通路２３を流下した場合、または、遊技領域１９に到達したけれども当該遊技領域１９から発射通路２３に戻った場合、当該球はファール球となる。ファール球取入口９４は、ファール球となった球を、発射通路２３から取り込み、当該取り込んだ球を上記球払出機構９３から払い出された球を球出口９５に誘導する誘導路に排出する。
【００３３】
後枠３９は、四角形な開口部を囲む額縁状である。後枠３９の左上角部には後枠上ヒンジ９６が設けられる。後枠上ヒンジ９６の後枠３９よりも前側に突出した部分には、下方に開放されて前後方向に開閉可能に構成されたヒンジ孔９７を備える。後枠３９の下部に設けられた幕板９８と後枠３９の左縦片とで成す左下角部には、後枠下ヒンジ９９が設けられる。後枠下ヒンジ９９の後枠３９よりも前方に突出した部分には、上下方向に突出するヒンジピン１０１と、上方から前方に屈曲する突起１０２とを備える。後枠３９の右縦片の内側面には中枠３８を掛け止めるフック１０３を備える。図３の符号１０４は球払出機構９３に球を供給するタンクである。タンク１０４は、中枠３８の集合樋８７の裏部に取り付けられており、遊技機枠３６における後枠３９が取り付けられるパチンコ店の島と呼ばれる遊技設置設備における球補給機構から供給される球を受け取る容器である。球補給機構の球排出部を球払出機構９３の球取入部に接続する形態を採用すれば、タンク１０４は不要である。
【００３４】
前枠３７と中枠３８と後枠３９とを互いに組み合わせて、図４の遊技機枠３６を作る場合について説明する。前枠３７にあっては、皿部品４２が中枠３８に取り付けられた後、前飾り部品４１が中枠３８に取り付けられる。具体的には、皿上ヒンジ６５のヒンジ孔６６と中枠中間ヒンジ７２における下方に突出したヒンジピン７３とが互いに嵌め合わされる。皿下ヒンジ６７におけるヒンジピン６８がばね力に抗して持ち上げられたまま、皿下ヒンジ６７のヒンジ躯体が中枠３８の膨出部の上に載せられる。
【００３５】
そして、皿部品４２が中枠３８に対し動かされ、皿下ヒンジ６７のヒンジピン６８と膨出部のヒンジ孔７７とが出合うと、ヒンジピン６８がばね力でヒンジ孔７７に嵌め込まれる。これによって、皿部品４２が、中枠３８に、皿上ヒンジ６５と皿下ヒンジ６７とヒンジ孔７７と中枠中間ヒンジ７２とからなるヒンジで、前側横方向に片開き可能にかつ交換可能に取り付けられる。次に、前枠下ヒンジ４９のヒンジ孔５０と中枠中間ヒンジ７２における上方に突出したヒンジピン７３とが互いに嵌め合わされ、前枠下ヒンジ４９のヒンジ躯体が中枠中間ヒンジ７２の上に載せられる。
【００３６】
そして、前枠上ヒンジ４７におけるヒンジピン４８がばね力に抗して押し下げられたまま、前飾り部品４１が中枠３８に対し動かされ、前枠上ヒンジ４７のヒンジピン４８と中枠上ヒンジ６９のヒンジ孔７１とが出合うと、ヒンジピン４８がばね力でヒンジ孔７１に嵌め込まれる。これによって、前飾り部品４１が、中枠３８に、前枠上ヒンジ４７と前枠下ヒンジ４９と中枠上ヒンジ６９と中枠中間ヒンジ７２とからなるヒンジで、前側横方向に片開き可能にかつ交換可能に取り付けられる。
【００３７】
中枠３８が後枠３９に取り付けられる場合、中枠下ヒンジ７５のヒンジ孔７６と後枠３９の後枠下ヒンジ９９のヒンジピン１０１とが互いに嵌め合わされる。そして、中枠下ヒンジ７５が後枠下ヒンジ９９の上に載せられたまま、中枠３８と後枠３９とが互いに近付けられ、中枠上ヒンジ６９のヒンジピン７０と後枠上ヒンジ９６のヒンジ孔９７とが互いに嵌め合わされる。これによって、中枠３８が、後枠３９に、中枠上ヒンジ６９と中枠下ヒンジ７５と後枠上ヒンジ９６と後枠下ヒンジ９９とからなるヒンジで、前側横方向に片開き可能にかつ交換可能に取り付けられる。その後、中枠３８が前側から後側に押され、中枠３８が後枠３９のフック１０３に掛け止められることによって、中枠３８が後枠３９に開閉不能に結合される。これによって、遊技機枠３６が図４に示すように組み立てられる。
【００３８】
図４を参照し、組み立てられた遊技機枠３６に遊技盤１を組み付ける場合について説明する。遊技盤１を組み付ける場合、中枠３８の図外のロック機構が後枠３９の図３に示すフック１０３に掛け止められ、中枠３８が後枠３９に結合され、前枠３７の前飾り部品４１が開放され、皿部品４２が前側から後側に押され、皿部品４２が中枠３８の図外のロック機構で中枠３８に結合される。その状態において、遊技盤１における遊技基板２の裏面が中枠３８の方に向けられた格好で、遊技盤１が中枠３８の前側から収納室Ａに格納されることによって、遊技盤１における遊技基板２の下端面が盤棚８２の上に載せられ、遊技基板２の周部の裏面が盤受部８３に受け止める格好で、遊技盤１が図外の止具や受部で中枠３８の収納室Ａに取り付けられる。その後、前飾り部品４１が閉じられてロック機構で中枠３８に支持されることによって、図１に示すパチンコ機の形態となる。
【００３９】
図１を参照し、遊技盤１が遊技機枠３６の内部に装着されたパチンコ機について説明する。収納室Ａに格納された遊技盤１における遊技基板２の前面と前飾り部品４１のパネル４６との間には、丸形開口部１８で囲まれた遊技領域１９で球の飛び交う空間Ｂが形成される。収納室Ａに格納された遊技盤１における遊技基板２の裏面と集合樋８７との間には、遊技基板２の裏面と図４の盤棚８２と樋周壁８５と樋後壁８６とで囲まれた空間Ｃが形成される。
【００４０】
よって、球が球受部５３に入れられた状態において、遊技者が図４の発射操作機構６１の操作部６１ａを例えば左から右側に回転操作すると、当該操作に伴い図３の発射機構５５が球受部５３から供給された球を１個ずつ例えば１分間当たり１００発未満の間隔と操作部６１ａの操作量に応じた可変抵抗値に相当する発射出力とで図４の遊技盤１における発射通路２３に向けて発射する。
【００４１】
この発射通路２３に発射された球は、発射通路２３から図１の空間Ｂに放出される。この空間Ｂに放出された球は、空間Ｂを流下する過程において、図４の一般入賞部品１４や始動入賞部品１５に入賞する。この入賞によって、一般入賞部品１４や始動入賞部品１５に取り込まれた球は、一般入賞部品１４や始動入賞部品１５における図２に示す排出樋部２９；３１を経由して遊技基板２の裏面から空間Ｃに排出される。
【００４２】
上記始動入賞部品１５に入賞した球は、始動入賞部品１５における前面部の入賞口から排出樋部３１を通過する通路に設けられた図外の球検出器で検出される。この球を検出した球検出器は、球検出信号を、制御装置９２における主制御装置に出力する。この球検出信号を受信した主制御装置は、上記始動入賞部品１５への入賞に対する役としての当たり外れ抽選を行うとともに、当該当たり外れ抽選の結果を遊技者に知らせるための画像表示器９１による図柄合わせ遊技を実行する。
【００４３】
具体的には、上記球検出器からの球検出信号が主制御装置に入力されると、主制御装置が当たり外れ抽選を行うとともに、図柄制御装置に図柄変動の開始を出力する。この出力を受信した図柄制御装置は、画像表示器を制御する。この制御によって、画像表示器９１は、窓枠８９の内部に形成された四角形の図柄視認用の開口部、センター飾り１１における遮蔽板および角形開口部２４、パネル４６を通して遊技機枠３６の前側から視認し得る画像表示器９１の表示画面に複数の図柄を可変表示する。
【００４４】
その後、図柄制御装置は、主制御装置から入力された当たり外れ抽選の結果を反映すべく上記画像表示器９１の図柄の可変表示を停止する。例えば、当たり外れ抽選の結果が外れである場合、「１２３」、「６７６」のように異なる値の図柄が並んだ形態で画像表示器９１の表示画面に表示される。これによって、上記始動入賞部品１５への入賞に伴う１回の遊技を終了する。当たり外れ抽選の結果が当たりである場合、「３３３」、「７７７」のように同値の図柄が並んだ形態で画像表示器９１の表示画面に表示される。
【００４５】
このように、画像表示器９１が表示画面に当たりを表示した後、主制御装置は、可変入賞部品１６の開閉駆動源を制御する。この制御によって、図４の開閉体３３が前側に前傾状に開く。このように開閉体３３が開くことによって、空間Ｂを流下する球が可変入賞部品１６に入賞する。この入賞によって、可変入賞部品１６に取り込まれた球は、可変入賞部品１６における図２に示す収納部３４を経由して遊技基板２の裏面から空間Ｃに排出される。
【００４６】
上記可変入賞部品１６に入賞した球は、可変入賞部品１６における収納部３４の普通入賞領域や特定入賞領域を通過する通路に設けられた図外の球検出器で検出される。この球を検出した球検出器は、球検出信号を、主制御装置に出力する。この球検出信号を受信した主制御装置は、上記可変入賞部品１６への入賞に対する役としての大当たり遊技を実行する。この大当たり遊技は、開閉体３３が所定回数または所定時間開閉する遊技である。
【００４７】
前記一般入賞部品１４に入賞した球を検出した球検出器からの球検出信号が主制御装置に受信された場合、前記可変入賞部品１６に入賞した球を検出した球検出器からの球検出信号が主制御装置に受信された場合、主制御装置は主制御装置に設定された一般入賞部品１４への入賞に対する賞球払出数や可変入賞部品１６への入賞に対する賞球払出数を含む払出信号を発射払出制御装置に出力し、発射払出制御装置が主制御装置からの払出信号に応じて球払出機構９３を制御する。これによって、球払出機構９３が一般入賞部品１４や可変入賞部品１６への入賞に対する賞球を球受部５３に払い出す。始動入賞部品１５に入賞した球を検出した球検出器からの球検出信号が主制御装置に受信された場合、主制御装置が主制御装置に設定された始動入賞部品１５への入賞に対する賞球払出数を含む払出信号を発射払出制御装置に出力して賞球を払い出してもよい。
【００４８】
実施形態によれば、遊技盤１が図２のｂ図に示すように裏面に何の部品も取りけられていないで部品逃孔５−９の形成されたままの形態であるので、遊技盤１の裏面に遊技盤１の裏側に排出された球を下方に誘導する樋を設けた場合に比べ、遊技盤１の構造が簡単となり、コストダウンを図ることができる。遊技機枠３６が図４に示すように遊技盤１を装着するための収納室Ａの裏側に集合樋８７を有する形態であるので、遊技盤１を古い機種から新しい機種に替える場合でも、上記裏面に樋などの設けられていない構造の簡単な遊技盤１を遊技機枠３６に交換して装着すれば、集合樋８７を古い遊技盤１と新しい遊技盤１とに共通に使用することができる。結果として、遊技機枠３６に遊技盤１の組み付けられたパチンコ機を経済的に有利な状態で提供することができる。
【００４９】
パチンコ機がパチンコ店から使用済み遊技機として破棄された場合、当該破棄されたパチンコ機を遊技機製造会社が回収し、この回収したパチンコ機における遊技機枠３６を検査し、当該検査で良品となった遊技機枠３６を洗浄および補修し、制御装置９２の主制御装置における古いプログラムの格納されたＲＯＭを別の新しいプログラムの格納されたＲＯＭに交換し、このＲＯＭの交換された新しい主制御装置を上記遊技機枠３６に取り付けることによって、遊技機枠３６を再使用することが可能となる。
【００５０】
上記ＲＯＭの新旧交換を、公的機関の許可を受けた人がパチンコ店で行うことが可能であれば、公的機関の許可を受けた人がパチンコ店において主制御装置の容器を開けてＲＯＭを交換し、新しいプログラムの格納されたＲＯＭに適合する新しい遊技盤１を遊技機枠３６に取り付けることによって、古い遊技機枠３６を新しい遊技盤１と組み合わせたパチンコ機を安価に提供することもできる。
【００５１】
この場合、実施形態では、前枠３７の前飾り部品４１および皿部品４２がヒンジで中枠３８に着脱可能な構造であるので、前飾り部品４１または皿部品４２を新しいものに交換すれば、古い中枠３８および古い後枠３９をそのまま使用することができる。
【産業上の利用可能性】
【００５２】
タンク１０４を中枠３８に設けることなく、中枠３８に設けられた球払出機構９３と遊技機設置設備の球補給機構とを、球補給機構から球払出機構９３に球を直接的に供給してもよい。画像表示器９１は、中枠３８または集合樋８７に対し、上下左右前後方向に位置調整可能に取り付ければ、遊技盤１の新旧交換に際し、画像表示器９１の表示画面とセンター飾り１１の角形開口部２４との位置合わせが容易となる。
【図面の簡単な説明】
【００５３】
【図１】パチンコ機を示す縦断面図。（一実施形態）
【図２】遊技盤を示す斜視図。（一実施形態）
【図３】遊技機枠を示す分解斜視図。（一実施形態）
【図４】遊技盤と遊技機枠とを示す分解斜視図。（一実施形態）
【符号の説明】
【００５４】
１  遊技盤
５−９  部品逃孔
２４  角形開口部（開口部）
３６  遊技機枠
３７  前枠
３８  中枠
３９  後枠
８７  集合樋
９１  画像表示器
９２  制御装置
Ａ  収納室
【図１】
2005110971.tif 000003
【図２】
2005110971.tif 000004
【図３】
2005110971.tif 000005
【図４】
2005110971.tif 000006